(57)【要約】  本発明は、一般的には、１つ以上の相互接続電気通信ネットワーク（１２−１５）を備える電気通信システム（１０）内の第１ユーザ（Ａ）と第２ユーザ（Ｂ）間で確立される電話接続中に、ユーザへの認可を提供する方法に関するものである。この方法は、ｉ）前記第１ユーザ（Ａ）と前記第２ユーザ（Ｂ）間の前記電話接続をそれらの加入者識別番号を使用してセットアップするステップを備える。本発明は、更に、１つ以上の相互接続電気通信ネットワーク（１２−１５）を備え、第１ユーザ（Ａ）と第２ユーザ（Ｂ）間での電話接続をそれらの加入者識別番号を使用して確立されるように構成される電気通信システムに関するものである。本発明に従えば、本方法は、更に、ｉｉ）確立されている前記電話接続中に、前記第１ユーザ（Ａ）あるいは前記第２ユーザ（Ｂ）の一方からサービスリクエスト（１１）を受信するステップと、ｉｉｉ）前記サービスリクエストに基づいて、前記第１ユーザ（Ａ）あるいは前記第２ユーザ（Ｂ）の他方に対する少なくとも１つの認可を決定するステップとによって特徴付けられる。これらの特徴を用いることで、前記パーティの前記一方に対して、確立されている電話接続中に、前記パーティの他方について他の電気通信サービスの実行を認可することが可能となる。
2007535185.tif 000002
【特許請求の範囲】
【請求項１】
１つ以上の相互接続電気通信ネットワークを備える電気通信システム内の第１ユーザと第２ユーザ間で確立される電話接続中に、ユーザへの認可を提供する方法であって、
ｉ）前記第１ユーザと前記第２ユーザ間の前記電話接続をそれらの加入者識別番号を使用してセットアップするステップと、
ｉｉ）確立されている前記電話接続中に、前記第１ユーザあるいは前記第２ユーザの一方からサービスリクエストを受信するステップと、
ｉｉｉ）前記サービスリクエストに基づいて、前記第１ユーザあるいは前記第２ユーザの他方に対する少なくとも１つの認可を決定するステップと
を備えることを特徴とする方法。
【請求項２】
前記認可は、
ｉｖ）前記認可に基づいて、前記第１ユーザあるいは前記第２ユーザの前記一方によって、前記第１ユーザと前記第２ユーザ間の将来の電話接続の前記確立を防止するステップを備える
ことを特徴とする請求項１に記載の方法。
【請求項３】
前記認可は、
ｖ）前記認可に基づいて、前記第１ユーザあるいは前記第２ユーザの前記他方によって、前記第１ユーザと前記第２ユーザ間の将来の電話接続の前記確立を許可するステップを備える
ことを特徴とする請求項１に記載の方法。
【請求項４】
前記認可は、
ｖｉ）前記認可に基づいて、前記第１ユーザあるいは前記第２ユーザの前記他方に、前記第１ユーザあるいは前記第２ユーザの前記一方によって維持される情報ソースへのアクセスを許可するステップを備える
ことを特徴とする請求項１に記載の方法。
【請求項５】
前記認可は、
ｖｉｉ）前記認可に基づいて、前記第１ユーザあるいは前記第２ユーザの前記他方に、前記第１ユーザあるいは前記第２ユーザの前記一方に情報を提供することを許可するステップを備える
ことを特徴とする請求項１に記載の方法。
【請求項６】
ｖｉｉｉ）前記第１ユーザあるいは前記第２ユーザの前記一方からの前記サービスリクエストの受信において、少なくとも１つの認可リスト上の前記第１ユーザあるいは前記第２ユーザの前記他方に対応する前記加入者識別番号を入力するステップと、
ｉｘ）将来の電話接続が、前記第１ユーザあるいは前記第２ユーザの前記他方によってセットアップされる場合に前記認可リストを検証するステップと
を更に備えることを特徴とする請求項１乃至５のいずれか１項に記載の方法。
【請求項７】
１つ以上の相互接続電気通信ネットワークを備え、第１ユーザと第２ユーザ間での電話接続をそれらの加入者識別番号を使用して確立されるように構成される電気通信システムであって、
前記相互接続電気通信ネットワークの少なくとも１つは、
確立されている前記電話接続中に、前記第１ユーザあるいは前記第２ユーザの一方からサービスリクエストを受信するように構成され、かつ
前記サービスリクエストに基づいて、前記第１ユーザあるいは前記第２ユーザの他方に対する少なくとも１つの認可を決定するように構成されている
ことを特徴とする電気通信システム。
【請求項８】
前記相互接続電気通信ネットワークの少なくとも１つは、
前記認可に基づいて、前記第１ユーザあるいは前記第２ユーザの前記一方によって、前記第１ユーザと前記第２ユーザ間の将来の電話接続の前記確立を防止するように構成されている
ことを特徴とする請求項７に記載の電気通信システム。
【請求項９】
前記相互接続電気通信ネットワークの少なくとも１つは、
前記認可に基づいて、前記第１ユーザあるいは前記第２ユーザの前記一方によって、前記第１ユーザと前記第２ユーザ間の将来の電話接続の前記確立を許可するように構成されている
ことを特徴とする請求項７に記載の電気通信システム。
【請求項１０】
前記相互接続電気通信ネットワークの少なくとも１つは、
前記第１ユーザあるいは前記第２ユーザの前記他方に、前記第１ユーザあるいは前記第２ユーザの前記一方によって維持される情報ソースへのアクセスを許可するように構成されている
ことを特徴とする請求項７に記載の電気通信システム。
【請求項１１】
前記相互接続電気通信ネットワークの少なくとも１つは、前記第１ユーザあるいは前記第２ユーザの前記一方に情報を提供するように構成されている
ことを特徴とする請求項７に記載の電気通信システム。
【請求項１２】
前記相互接続電気通信ネットワークの少なくとも１つは、
前記第１ユーザあるいは前記第２ユーザの前記一方からの前記サービスリクエストの受信において、認可リスト上の前記第１ユーザあるいは前記第２ユーザの前記他方に対応する前記加入者識別番号を入力するように構成され、
前記相互電気通信ネットワークの少なくとも１つは、
将来の電話接続が、前記第１ユーザあるいは前記第２ユーザの前記他方によってセットアップされる毎に前記認可リストを検証するように構成されている
ことを特徴とする請求項７乃至１１のいずれか１項に記載の電気通信システム。
【請求項１３】
前記認可リストは、前記相互接続電気通信ネットワークの少なくとも１つに存在するデータベースに含まれている
ことを特徴とする請求項１２に記載の電気通信システム。
【請求項１４】
前記相互接続電気通信ネットワークは、自身の認可リストを同期するように構成されている
ことを特徴とする請求項１２または１３に記載の電気通信システム。
【請求項１５】
電気通信システム内の他の電気通信ネットワークと相互接続されていて、第１ユーザと第２ユーザ間での電話接続をそれらの加入者識別番号を使用して確立されるように構成される電気通信ネットワークであって、
当該電気通信ネットワークは、
確立されている前記電話接続中に、前記第１ユーザあるいは前記第２ユーザの一方からサービスリクエストを受信するように構成され、かつ
前記サービスリクエストに基づいて、前記第１ユーザあるいは前記第２ユーザの他方に対する少なくとも１つの認可を決定するように構成されている
ことを特徴とする電気通信ネットワーク。
【請求項１６】
当該電気通信ネットワークは、
前記第１ユーザあるいは前記第２ユーザの前記一方からの前記サービスリクエストの受信において、認可リスト上の前記第１ユーザあるいは前記第２ユーザの前記他方に対応する前記加入者識別番号を入力し、かつ
将来の電話接続が、前記第１ユーザあるいは前記第２ユーザの前記他方によってセットアップされる毎に前記認可リストを検証するように構成されている
ことを特徴とする請求項１５に記載の電気通信ネットワーク。
【請求項１７】
１つ以上の相互接続電気通信ネットワークを備える電気通信システムにおいて、第１ユーザと第２ユーザ間での電話接続をそれらの加入者識別番号を使用して確立されるように構成される認可装置であって、
当該認可装置は、
確立されている前記電話接続中に、前記第１ユーザあるいは前記第２ユーザの一方からサービスリクエストを受信し、かつ
前記サービスリクエストに基づいて、前記第１ユーザあるいは前記第２ユーザの他方に対する少なくとも１つの認可を決定するように構成されている
ことを特徴とする認可装置。
【請求項１８】
第１ユーザと第２ユーザ間での電話接続をそれらの加入者識別番号を使用して確立されるように構成される電気通信システム内の他の電気通信ネットワークと相互接続されている電気通信ネットワーク内の記憶装置であって、
当該記憶装置は、
認可リストを含むデータベースを構成し、かつ維持することが可能で、かつ
前記第１ユーザあるいは前記第２ユーザの前記一方からの前記サービスリクエストの受信において、認可リスト上の前記第１ユーザあるいは前記第２ユーザの前記他方に対応する前記加入者識別番号を入力することが可能である
ことを特徴とする記憶装置。
【請求項１９】
第１ユーザと第２ユーザ間での電話接続をそれらの加入者識別番号を使用して確立されるように構成される１つ以上の相互接続電気通信ネットワークを備える電気通信システムにおいて使用するためのコンピュータプログラムであって、
当該コンピュータプログラムは、
コンピュータ上で動作する場合に、請求項１乃至６のいずれか１項に記載の方法をコンピュータに実行させるためのソフトウェアコード手段を備える
ことを特徴とするコンピュータプログラム。
【発明の詳細な説明】
【技術分野】
【０００１】
本発明の分野
本発明は、一般的には、１つ以上の相互接続電気通信ネットワークを有する電気通信システム内の第１ユーザと第２ユーザ間で確立される電話接続中のユーザに対する認可を提供する方法に関するものである。この方法は、
ｉ）第１ユーザと第２ユーザの両方の間でそれらの加入者識別番号を使用して電話接続をセットアップする。
【０００２】
本発明は、また、１つ以上の相互接続電気通信ネットワークを備える電気通信システムに関するものであり、これは、第１ユーザと第２ユーザ間の電話接続をそれらの加入者識別番号を使用して確立するように構成されている。
【０００３】
また、本発明は、電気通信システムにおける認可装置に関するものである。この電気通信システムは、１つ以上の相互接続電気通信ネットワークを備え、これは、第１ユーザと第２ユーザ間の電話接続をそれらの加入者識別番号を使用して確立するように構成されている。
【０００４】
本発明は、また、第１ユーザと第２ユーザ間の電話接続をそれらの加入者識別番号を使用して確立するように構成されている電気通信システム内の他の電気通信ネットワークと相互接続されている電気通信ネットワーク内の記憶装置に関するものである。
【０００５】
本発明は、更に、第１ユーザと第２ユーザ間の電話接続をそれらの加入者識別番号を使用して確立するように構成されている、１つ以上の相互電気通信ネットワークを備える電気通信システムで使用するためのコンピュータプログラムに関するものである。
【０００６】
本発明の背景
現在の電気通信システムは、複数の相互接続電気通信ネットワークを備え、その中には、有線あるいは固定電気通信ネットワークとワイヤレスセルラー無線あるいは移動電気通信ネットワークがある。有線あるいは固定電気通信ネットワークは、例えば、公衆交換電気通信ネットワーク（ＰＳＴＮ）あるいは統合サービスデジタルネットワーク（ＩＳＤＮ）がある。ワイヤレスセルラー無線あるいは移動電気通信ネットワークは、例えば、移動通信用グローバルシステム（ＧＳＭ）に従って動作するものがある。
【０００７】
上述のような、例えば、発呼者である第１ユーザと、着呼者である第２ユーザ間での電話接続をセットアップする方法が一般的に知られており、普及している。一般的には、発呼者及び着呼者の固有の加入者識別番号は、複数の相互接続電気通信ネットワークを介して電話接続をセットアップするために使用される。
【０００８】
現時点では、現在の電気通信システムにおいて、将来の他の関係者（party：パーティ）に対して専用の認可を与えることを、関係者の１つに可能にするものは知られていないあるいは実現されていない。いわゆる電話番号識別提示（Calling Line Identification Presentatoin）を実行するあるいは使用すると、着呼者は、自身の電話の受話器を取ることなく、発呼者の身元（アイデンティティ）を確認して、電話発呼を受け付けるかどうかを決定することができる。
【０００９】
しかしながら、この方法は、着呼者が発呼者を予め知っている場合にのみその着呼者にとって有益なものである。また、専用の電話機に局所的に保持し記憶されるアドレス帳を必要とする。
【００１０】
また、認識される着信電話番号が、発呼者の加入者識別番号に対応していないことはよくあることである。
【００１１】
発明の要約
本発明の目的は、２つの関係者間の電話接続接続中に、ユーザへの認可を提供するための方法を改良することである。ここで、これらの関係者間の一方は、追加の電気通信サービスをセットアップするあるいは実行するために、他方の関係者を認可する機能を有している。
【００１２】
本発明の別の目的は、本発明に従って、上記方法を実行可能な電気通信システムを提供することである。
【００１３】
この目的は、以下のステップによって特徴付けられる本発明に従う方法として達成される。即ち、
ｉｉ）確立されている前記電話接続中に、前記第１ユーザあるいは前記第２ユーザの一方からサービスリクエストを受信するステップと、
ｉｉｉ）前記サービスリクエストに基づいて、前記第１ユーザあるいは前記第２ユーザの他方に対する少なくとも１つの認可を決定するステップを備える。
【００１４】
これらの特徴を用いることで、前記関係者の前記一方に対して、確立されている電話接続中に、前記関係者の他方について他の電気通信サービスの実行を認可することが可能となる。
【００１５】
本発明に従う方法の実施形態では、前記認可は、
ｉｖ）前記認可に基づいて、前記第１ユーザあるいは前記第２ユーザの前記他方によって、前記第１ユーザと前記第２ユーザ間の将来の電話接続の前記確立を防止するステップを備える。
【００１６】
この禁止（barring）構成を用いることで、悪意のある呼（call：コール）禁止サービスへ、関係する関係者の加入者識別番号を転送してしまうことがなくなる。このことは、一旦電話接続が終了して、あるいは認識される着信電話番号がその加入者識別番号と一旦異なることで、禁止対象の関係者の加入者識別番号が損失する毎に電話接続が終了される後のことである。
【００１７】
本発明の別の構成に従えば、前記認可は、
ｖ）前記認可に基づいて、前記第１ユーザあるいは前記第２ユーザの前記他方によって、前記第１ユーザと前記第２ユーザ間の将来の電話接続の前記確立を許可するステップを備える。
【００１８】
また、本発明に従う方法の別の構成に従えば、前記認可は、
ｖｉ）前記認可に基づいて、前記第１ユーザあるいは前記第２ユーザの前記他方に、前記第１ユーザあるいは前記第２ユーザの前記一方によって維持される情報ソースへのアクセスを許可するステップを備える。
【００１９】
本発明に従う方法の更に別の構成に従えば、前記認可は、
ｖｉｉ）前記認可に基づいて、前記第１ユーザあるいは前記第２ユーザの前記他方に、前記第１ユーザあるいは前記第２ユーザの前記一方に情報を提供することを許可するステップを備える。
【００２０】
ここで、これらの構成を用いれば、任意の電気通信サービスの実行の許可あるいは防止することを、発呼者に認可することが可能になる。
【００２１】
効果的な実施形態に従えば、上記方法は、更に、以下のステップを使用する。即ち、
ｖｉｉｉ）前記第１ユーザあるいは前記第２ユーザの前記一方からの前記サービスリクエストの受信において、少なくとも１つの認可リスト上の前記第１ユーザあるいは前記第２ユーザの前記他方に対応する前記加入者識別番号を入力するステップと、
ｉｘ）将来の電話接続が、前記第１ユーザあるいは前記第２ユーザの前記他方によってセットアップされる場合に前記認可リストを検証するステップとを備える。
【００２２】
このことは、発呼者の適時識別を可能にし、かつ認可リストで示される認可の決定を可能にする。
【００２３】
より詳しくは、本発明に従う方法において、加入者識別番号は、第１ユーザあるいは第２ユーザに対応する。
【００２４】
本発明に従う電気通信システムは、
前記相互接続電気通信ネットワークの少なくとも１つが
確立されている前記電話接続中に、前記第１ユーザあるいは前記第２ユーザの一方からサービスリクエストを受信するように構成され、かつ
前記サービスリクエストに基づいて、前記第１ユーザあるいは前記第２ユーザの他方に対する少なくとも１つの認可を決定するように構成されている
ことを特徴とする。
【００２５】
更なる実施形態では、本発明に従う電気通信システムは、前記相互接続電気通信ネットワークの少なくとも１つが、前記認可に基づいて、前記第１ユーザあるいは前記第２ユーザの前記他方によって、前記第１ユーザと前記第２ユーザ間の将来の電話接続の前記確立を許可するように構成されていて、また、前記相互接続電気通信ネットワークの少なくとも１つが、前記第１ユーザあるいは前記第２ユーザの前記他方に、前記第１ユーザあるいは前記第２ユーザの前記一方によって維持される情報ソースへのアクセスを許可するように構成されていて、あるいは、前記相互接続電気通信ネットワークの少なくとも１つが、前記第１ユーザあるいは前記第２ユーザの前記一方に情報を提供するように構成されていることを特徴とする。
【００２６】
より詳しくは、前記相互接続電気通信ネットワークの少なくとも１つは、前記第１ユーザあるいは前記第２ユーザの前記一方からの前記サービスリクエストの受信において、認可リスト上の前記第１ユーザあるいは前記第２ユーザの前記他方に対応する前記加入者識別番号を入力するように構成され、かつ
前記相互電気通信ネットワークの少なくとも１つは、
将来の電話接続が、前記第１ユーザあるいは前記第２ユーザの前記他方によってセットアップされる毎に前記認可リストを検証するように構成されている。
【００２７】
特定の効果的な実施形態に従えば、前記認可リストは、前記相互接続電気通信ネットワークの少なくとも１つに存在するデータベースに含まれている。
【００２８】
また、前記相互接続電気通信ネットワークは、自身の認可リストを同期するように構成されている。これにより、電気通信システムに渡って、悪名の高い電話ストーカのアイデンティティを交換することが可能となる。
【００２９】
本発明に従えば、前記電気通信ネットワークは、確立されている前記電話接続中に、前記第１ユーザあるいは前記第２ユーザの一方からサービスリクエストを受信するように構成され、かつ
前記サービスリクエストに基づいて、前記第１ユーザあるいは前記第２ユーザの他方に対する少なくとも１つの認可を決定するように構成されている。
【００３０】
特定の実施形態では、前記電気通信ネットワークは、前記第１ユーザあるいは前記第２ユーザの前記一方からの前記サービスリクエストの受信において、認可リスト上の前記第１ユーザあるいは前記第２ユーザの前記他方に対応する前記加入者識別番号を入力し、かつ
将来の電話接続が、前記第１ユーザあるいは前記第２ユーザの前記他方によってセットアップされる毎に前記認可リストを検証するように構成されている。
【００３１】
本発明の別の構成に従えば、前記認可装置は、確立されている前記電話接続中に、前記第１ユーザあるいは前記第２ユーザの一方からサービスリクエストを受信し、かつ
前記サービスリクエストに基づいて、前記第１ユーザあるいは前記第２ユーザの他方に対する少なくとも１つの認可を決定するように構成されている。
【００３２】
また、本発明に従う記憶装置は、認可リストを含むデータベースを構成し、かつ維持することが可能で、かつ前記第１ユーザあるいは前記第２ユーザの前記一方からの前記サービスリクエストの受信において、認可リスト上の前記第１ユーザあるいは前記第２ユーザの前記他方に対応する前記加入者識別番号を入力することが可能である。
【００３３】
本発明の更なる別の構成は、コンピュータ上で動作する場合に、本発明に従う方法をコンピュータに実行させるためのソフトウェアコード手段を備えるコンピュータプログラムに関するものである。
【００３４】
図面の詳細説明
図１は、本発明に従う方法を示すフローチャートを示している。本発明に従う方法は、発呼者あるいは着呼者の一方に、電話接続のセットアップを他方に対して認可を与えることを可能にする。
【００３５】
発呼者は、通常、自身の電話の受話器をとって、着呼者に対応する電話番号をダイヤルすることによって、電話接続のセットアップを開始する。１つ以上の相互接続電話機通信ネットワークを備える電気通信システムにおける電話接続のセットアップは、発呼者及び着呼者の加入者識別番号を使用する（図１のステップ１）。電話接続が一旦確立されると、当事者間の通信が、例えば、全二重音声接続を介して可能となる。
【００３６】
本発明に従う方法は、発呼者あるいは着呼者の一報に、セットアップする電話接続中に、例えば、自身の電話機（local telephone set：ローカル電話セット）を使用して所定のサービス呼出番号を押下するあるいは選択することによって、サービスリクエストを呼び出すことを可能にする（ステップ２）。このサービスリクエストは、相互接続電気通信ネットワークの１つによって受信され、このネットワークは、本発明に従って、専用の認可リスト上の加入者の加入者識別番号に追加されるように構成されている。
【００３７】
ステップ２で、サービスリクエストが相互接続電気通信ネットワークによって一旦受信されると、次に、ステップ４ａで、発呼者と着呼者間での電話接続が継続され、発呼者と着呼者の両方の間での通信が、例えば、全二重音声接続を介して可能限り維持される。
【００３８】
ステップ２で、サービスリクエストが相互接続電気通信ネットワークによって受信されない場合、次に、ステップ４ｂで、発呼者と着呼者間での電話接続が継続され、発呼者と着呼者の両方の間での通信が、例えば、全二重音声接続を介して可能限り維持される。
【００３９】
ステップ３で、関係者の加入者識別番号が一旦認可リストに追加されると、その関係者には、将来の動作についての専用の認可が与えられる。これには、例えば、他の関係者（ユーザ）に関連する将来の電話発呼があり、この他の関係者は、その認可リスト上にその加入者識別番号が入力されているものである。この用途において、他の関係者によってその関係者に与えられる認可は、「許諾（permission）」あるいは「不許可（sanction）」に関するものとして解釈されなければならない。
【００４０】
一般的には、専用の認可が与えられる関係者の加入者識別番号は、相互接続電気通信ネットワークの１つに含まれる専用の認可リストに他の関係者によって追加される。これは、その他の関係者の電話機（ローカル電話セット）上の所定のサービス呼出キーあるいはキー操作を押下するあるいは選択することによって起動される。
【００４１】
本発明に従う方法の例としては、不許可として解釈されなければならない所与の認可が図２で示される。
【００４２】
この目的を達成するために、本発明に従う方法は、上記の認可リストを一旦検証するように構成することができる（ステップ５）、そして、発呼者と着呼者間で次の電話接続がセットアップされる（ステップ１）。一旦、その認可リスト上に発呼者の加入者識別番号が存在すると判定されると、本発明に従う方法は認可を検証し、かつその検証に基づいて、本方法は、認可リスト上に存在する発呼者に関係する特定の動作を実行しても良い。
【００４３】
１つの認可は、不許可（sanction）、例えば、各相互接続電気通信ネットワークを介する両当事者間での電話接続のセットアップについての認可の検証に基づく抑制に関与しても良い（ステップ７）。
【００４４】
相互接続電気通信ネットワークの１つに存在する認可リストは、本発明に従う方法の実施形態における禁止（barring）リストとして解釈されなければならない。これは、その禁止リスト上に存在する関係者の１つによるセットアップとして、２つの関係者間の電話接続の確立を禁止するあるいは防止するものである。
【００４５】
ステップ５の判定後、発呼者の加入者識別番号が認可リストに存在しないと判定される場合、本発明に従う方法は、上記接続が確立されるまで、かつ例えば、全二重音声接続を介して当事者間の通信が可能となるまで、電話接続のセットアップを継続する。
【００４６】
同様にして、相互接続電気通信ネットワークの１つに含まれる認可リストは、着呼者との電話接続のセットアップを、発呼者に許可（allowance）することを含ませることができる。
【００４７】
本発明に従う方法の別の実施形態では、相互接続電気通信ネットワークの１つに含まれる認可リストは、着呼者の利益、例えば、電話による商品の購入のために、発呼者によって入力される情報の提供を許可することを含ませることができる。
【００４８】
本発明に従う方法の別の実施形態では、相互接続電気通信ネットワークの１つに含まれる認可リストは、着呼者によって保持されるある情報ソース、例えば、データベースあるいはインターネット上のウェブサイトへのアクセスの発呼者への提供を許可することを含ませることができる。
【００４９】
図３では、本発明に従う電気通信システムの第１実施形態が、参照番号１１を用いて示されていて、ここでは、電気通信システム１１は、１つ以上の相互接続電気通信ネットワーク１２−１５を備える。各相互接続電話システムでは、加入者ＡとＢはそれぞれ、相互接続電気通信ネットワーク１２及び１３それぞれの内の１つに存在している。
【００５０】
結果的に、関係者Ａと関係者Ｂ間の電話接続は、それらの自身の相互接続電気通信ネットワーク１２、電気通信システム１１、及びそれらの自身の相互接続電気通信ネットワーク１３を介してセットアップされ、この電気通信システムは、本発明に従って、例えば、着呼者Ｂによって呼び出されるサービスリクエスト（参照番号１１で示される）を受信するように構成される。この呼び出されるサービスリクエストに基づいて、相互接続電気通信ネットワーク３は、例えば、データベース１６上で維持される認可リストに、発呼者Ａの加入者識別番号を追加するように構成される。
【００５１】
上述のように、上記の認可リストは、着呼者Ｂによって認可リスト１６に追加される発呼者の加入者識別番号に関係するあらゆる種類の認可を含んでいる。これらの認可は、肯定特性（つまり、「許可」）、あるいは否定特性（つまり、「不許可」）を持つことができる。
【００５２】
不許可の認可は、発呼者Ａと着呼者Ｂ間との将来の電話接続のセットアップの防止を含んでいても良い。
【００５３】
図３では、着呼者Ｂによって呼び出されるサービスリクエストは、参照番号１１で示される。呼び出されるサービスリクエスト１１は、相互接続電気通信ネットワーク１３に含まれ、保持され、かつ維持されるリスト１６に、発呼者Ａのアイデンティティに対応する加入者識別番号Ａを追加する。
【００５４】
ここでは、結果的に、禁止されている発呼者Ａによって、着呼者Ｂとの将来の電話接続が確立されると、相互接続電気通信ネットワーク１３に含まれるリスト１６の内容を用いて、発呼者Ａの加入者識別番号Ａを検証するように相互電気通信ネットワーク１３が構成される。
【００５５】
発呼者Ａの加入者識別番号が禁止リスト１６に存在していると一旦検証されると、発呼者Ａと着呼者Ｂ間の電話接続のセットアップを終了するように、本発明に従う電気通信システムが構成される。
【００５６】
本発明に従う電気通信システムは、基本的には、禁止者と別の者との間での将来の電話接続を禁止することを意図しているが、関係者間で他の電気通信サービスを実行することも可能である。例えば、関係者ＡとＢ間の電話接続の確立を可能にしたり、あるいは、与えられる認可に基づいて、着呼者Ｂによって保持されるある情報ソースへのアクセスを発呼者Ａに可能にすることも可能である。
【００５７】
図３では、本発明に従う、本方法の実施形態及び電気通信システムが、参照番号１７で示され、ここでは、関係者Ｂ（双方向矢印１９）によってインターネットウェブサイトが維持されるコンピュータ／サーバを示している。上記の認可リスト１６上の関係者Ａ（参照番号１１）の加入者識別番号を入力することによる関係者Ｂによって発呼者Ａに与えられる認可は、インターネット接続を介する関係者Ａによるウェブサイト１７の閲覧を許可することを意味している（片方向矢印１８）。
【００５８】
別の実施形態では、上記の着呼者Ｂによって開始される、呼び出されるサービスリクエスト１１は、発呼者Ａによるセットアップである電話接続を、特定の専用サービス番号を使用するコールセンターサービスへ転送するようにしても良い。ここでは、認可リスト１６が維持され、かつ更新される。
【００５９】
特定の実施形態では、複数の相互接続電気通信ネットワーク１２−１５のそれぞれは、禁止対象の関係者の加入者識別番号を有するリスト１６−１６’を含むデータベースを備えていても良い。ここで、各データベース１６−１６’は、より効果的な禁止構成を得るために同期しても良い。
【００６０】
図３には示されていないが、電気通信システム１０では、認可装置が存在していても良く、これは、本発明に従って、第１ユーザあるいは第２ユーザの一方から確立される電話接続中にサービスリクエストを受信するよう構成されていて、また、そのサービスリクエストに基づいて、第１ユーザあるいは第２ユーザの他方へ少なくとも１つの認可を決定する（appointing）ように構成される。
【００６１】
ここで、本実施形態では、電気通信システム１０内のいくつかの相互接続電気通信ネットワーク１２−１３−１４−１５に代わって、認可装置が動作し、与えられる認可に依存して、本発明に従う方法を実現するように構成される。このことは、いくつかの相互接続電気通信ネットワーク１２−１３−１４−１５に代わって、認可装置が、第１ユーザあるいは第２ユーザの一方によって、第１ユーザと第２ユーザ間の将来の電話接続の確立を引き起こすことができる。
【００６２】
上記の認可に基づいても、認可装置は、第１ユーザあるいは第２ユーザの上記の他方によって、第１ユーザと第２ユーザ間の将来の電話接続の確立を可能にすることができる、あるいは、第１ユーザあるいは第２ユーザの上記の一方によって維持される情報ソースへのアクセスを、第１ユーザあるいは第２ユーザの上記の他方に許容することができる、あるいは、第１ユーザあるいは第２ユーザの上記の一方へ情報を提供することを、第１ユーザあるいは第２ユーザの上記の他方へ許容することさえもできる。
【００６３】
上記の認可装置は、第１ユーザあるいは第２ユーザＡ−Ｂの上記の一方からのサービスリクエストの受信において、装置内に含まれかつ維持される少なくとも１つの認可リスト上の第１ユーザあるいは第２ユーザの上記の他方に対応する加入者識別番号を入力し、かつ、将来の電話接続が、第１ユーザあるいは第２ユーザＡ−Ｂの上記の他方によってセットアップされる場合に、その認可リストを検証するように構成することもできる。
【００６４】
別の実施形態では、このリストは、電気通信システム１０内、あるいは相互接続電気通信ネットワーク１２−１３−１４−１５の内の１つに存在する記憶装置に維持することもできる。ここで、この記憶装置は、認可リストを含んでいるデータベースを構成し、かつ維持することができ、また、この記憶装置は、第１ユーザあるいは第２ユーザＡ−Ｂの上記の一方からのサービスリクエストの受信において、認可リスト上の第１ユーザあるいは第２ユーザＡ−Ｂの上記の他方に対応する加入者識別番号を入力することができる。
【００６５】
このように、上記の記憶装置、あるいは上記の認可装置、あるいは上記の相互接続電気通信ネットワークの１つによって、コンピュータソフトウェアプログラムを使用することができる。このプログラムは、ソフトウェアコード手段を備え、これが、コンピュータ上で動作する場合には、コンピュータに本願特許明細書で説明される本発明の構成の方法を実行させる。
【図面の簡単な説明】
【００６６】
【図１】本発明に従う方法の実施形態を示すフローチャートである。
【図２】本発明に従う別の方法の実施形態を示すフローチャートである。
【図３】本発明に従う電気通信ネットワークの実施形態を示す図である。
【図１】
2007535185.tif 000003
【図２】
2007535185.tif 000004
【図３】
2007535185.tif 000005
【手続補正書】
【提出日】平成18年2月16日(2006.2.16)
【手続補正１】
【補正対象書類名】特許請求の範囲
【補正対象項目名】全文
【補正方法】変更
【補正の内容】
【特許請求の範囲】
【請求項１】
１つ以上の相互接続電気通信ネットワーク（１２−１３）を備える電気通信システム内の第１ユーザ（Ａ）と第２ユーザ（Ｂ）間で確立される電話接続中に、ユーザへの認可を提供する方法であって、
ｉ）前記第１ユーザ及び前記第２ユーザの少なくとも一方に決定されている認可に基づいて、前記第１ユーザと前記第２ユーザ間の前記電話接続（１）をそれらの加入者識別番号を使用してセットアップするステップと、
ｉｉ）確立されている前記電話接続中に、前記第１ユーザあるいは前記第２ユーザの一方からサービスリクエスト（２）を受信するステップと、
ｉｉｉ）前記確立されている前記電話接続中に受信される前記サービスリクエストに基づいて、前記第１ユーザあるいは前記第２ユーザの他方に対する少なくとも１つの認可を決定するステップと
を備えることを特徴とする方法。
【請求項２】
前記認可は、
ｉｖ）前記認可に基づいて、前記第１ユーザあるいは前記第２ユーザの前記一方によって、前記第１ユーザと前記第２ユーザ間の将来の電話接続の前記確立を防止するステップを備える
ことを特徴とする請求項１に記載の方法。
【請求項３】
前記認可は、
ｖ）前記認可に基づいて、前記第１ユーザあるいは前記第２ユーザの前記他方によって、前記第１ユーザと前記第２ユーザ間の将来の電話接続の前記確立を許可するステップを備える
ことを特徴とする請求項１に記載の方法。
【請求項４】
前記認可は、
ｖｉ）前記認可に基づいて、前記第１ユーザあるいは前記第２ユーザの前記他方に、前記第１ユーザあるいは前記第２ユーザの前記一方によって維持される情報ソースへのアクセスを許可するステップを備える
ことを特徴とする請求項１に記載の方法。
【請求項５】
前記認可は、
ｖｉｉ）前記認可に基づいて、前記第１ユーザあるいは前記第２ユーザの前記他方に、前記第１ユーザあるいは前記第２ユーザの前記一方に情報を提供することを許可するステップを備える
ことを特徴とする請求項１に記載の方法。
【請求項６】
ｖｉｉｉ）前記第１ユーザあるいは前記第２ユーザの前記一方からの前記サービスリクエストの受信において、少なくとも１つの認可リスト上の前記第１ユーザあるいは前記第２ユーザの前記他方に対応する前記加入者識別番号を入力するステップと、
ｉｘ）将来の電話接続が、前記第１ユーザあるいは前記第２ユーザの前記他方によってセットアップされる場合に前記認可リストを検証するステップと
を更に備えることを特徴とする請求項１乃至５のいずれか１項に記載の方法。
【請求項７】
１つ以上の相互接続電気通信ネットワークを備え、第１ユーザと第２ユーザの少なくとも一方に基づいて決定される認可に基づいて、前記第１ユーザと前記第２ユーザ間での電話接続をそれらの加入者識別番号を使用して確立されるように構成される電気通信システムであって、
前記相互接続電気通信ネットワークの少なくとも１つは、
確立されている前記電話接続中に、前記第１ユーザあるいは前記第２ユーザの一方からサービスリクエストを受信するように構成され、かつ
前記サービスリクエストに基づいて、前記第１ユーザあるいは前記第２ユーザの他方に対する少なくとも１つの認可を決定するように構成されている
ことを特徴とする電気通信システム。
【請求項８】
前記相互接続電気通信ネットワークの少なくとも１つは、
前記認可に基づいて、前記第１ユーザあるいは前記第２ユーザの前記一方によって、前記第１ユーザと前記第２ユーザ間の将来の電話接続の前記確立を防止するように構成されている
ことを特徴とする請求項７に記載の電気通信システム。
【請求項９】
前記相互接続電気通信ネットワークの少なくとも１つは、
前記認可に基づいて、前記第１ユーザあるいは前記第２ユーザの前記一方によって、前記第１ユーザと前記第２ユーザ間の将来の電話接続の前記確立を許可するように構成されている
ことを特徴とする請求項７に記載の電気通信システム。
【請求項１０】
前記相互接続電気通信ネットワークの少なくとも１つは、
前記第１ユーザあるいは前記第２ユーザの前記他方に、前記第１ユーザあるいは前記第２ユーザの前記一方によって維持される情報ソースへのアクセスを許可するように構成されている
ことを特徴とする請求項７に記載の電気通信システム。
【請求項１１】
前記相互接続電気通信ネットワークの少なくとも１つは、前記第１ユーザあるいは前記第２ユーザの前記一方に情報を提供するように構成されている
ことを特徴とする請求項７に記載の電気通信システム。
【請求項１２】
前記相互接続電気通信ネットワークの少なくとも１つは、
前記第１ユーザあるいは前記第２ユーザの前記一方からの前記サービスリクエストの受信において、認可リスト上の前記第１ユーザあるいは前記第２ユーザの前記他方に対応する前記加入者識別番号を入力するように構成され、
前記相互電気通信ネットワークの少なくとも１つは、
将来の電話接続が、前記第１ユーザあるいは前記第２ユーザの前記他方によってセットアップされる毎に前記認可リストを検証するように構成されている
ことを特徴とする請求項７乃至１１のいずれか１項に記載の電気通信システム。
【請求項１３】
前記認可リストは、前記相互接続電気通信ネットワークの少なくとも１つに存在するデータベースに含まれている
ことを特徴とする請求項１２に記載の電気通信システム。
【請求項１４】
前記相互接続電気通信ネットワークは、自身の認可リストを同期するように構成されている
ことを特徴とする請求項１２または１３に記載の電気通信システム。
【請求項１５】
電気通信システム内の他の電気通信ネットワークと相互接続されていて、第１ユーザと第２ユーザの少なくとも一方に基づいて決定される認可に基づいて、前記第１ユーザと前記第２ユーザ間での電話接続をそれらの加入者識別番号を使用して確立されるように構成される電気通信ネットワークであって、
当該電気通信ネットワークは、
確立されている前記電話接続中に、前記第１ユーザあるいは前記第２ユーザの一方からサービスリクエストを受信するように構成され、かつ
前記サービスリクエストに基づいて、前記第１ユーザあるいは前記第２ユーザの他方に対する少なくとも１つの認可を決定するように構成されている
ことを特徴とする電気通信ネットワーク。
【請求項１６】
当該電気通信ネットワークは、
前記第１ユーザあるいは前記第２ユーザの前記一方からの前記サービスリクエストの受信において、認可リスト上の前記第１ユーザあるいは前記第２ユーザの前記他方に対応する前記加入者識別番号を入力し、かつ
将来の電話接続が、前記第１ユーザあるいは前記第２ユーザの前記他方によってセットアップされる毎に前記認可リストを検証するように構成されている
ことを特徴とする請求項１５に記載の電気通信ネットワーク。
【請求項１７】
１つ以上の相互接続電気通信ネットワークを備える電気通信システムにおいて、第１ユーザと第２ユーザの少なくとも一方に基づいて決定される認可に基づいて、前記第１ユーザと前記第２ユーザ間での電話接続をそれらの加入者識別番号を使用して確立されるように構成される認可装置であって、
当該認可装置は、
確立されている前記電話接続中に、前記第１ユーザあるいは前記第２ユーザの一方からサービスリクエストを受信し、かつ
前記サービスリクエストに基づいて、前記第１ユーザあるいは前記第２ユーザの他方に対する少なくとも１つの認可を決定するように構成されている
ことを特徴とする認可装置。
【請求項１８】
第１ユーザと第２ユーザの少なくとも一方に基づいて決定される認可に基づいて、前記第１ユーザと前記第２ユーザ間での電話接続をそれらの加入者識別番号を使用して確立されるように構成される電気通信システム内の他の電気通信ネットワークと相互接続されている電気通信ネットワーク内の記憶装置であって、
当該記憶装置は、
認可リストを含むデータベースを構成し、かつ維持することが可能で、かつ
前記第１ユーザあるいは前記第２ユーザの前記一方からの前記サービスリクエストの受信において、認可リスト上の前記第１ユーザあるいは前記第２ユーザの前記他方に対応する前記加入者識別番号を入力することが可能である
ことを特徴とする記憶装置。
【請求項１９】
第１ユーザと第２ユーザの少なくとも一方に基づいて決定される認可に基づいて、前記第１ユーザと前記第２ユーザ間での電話接続をそれらの加入者識別番号を使用して確立されるように構成される１つ以上の相互接続電気通信ネットワークを備える電気通信システムにおいて使用するためのコンピュータプログラムであって、
当該コンピュータプログラムは、
コンピュータ上で動作する場合に、請求項１乃至６のいずれか１項に記載の方法をコンピュータに実行させるためのソフトウェアコード手段を備える
ことを特徴とするコンピュータプログラム。
【国際調査報告】
2007535185.tif 000006
2007535185.tif 000007